Podtech/llm-jp-corpus-v4-ja_patent huggingface dataset:
(57)【要約】【課題】消費者の年代層の違いや各人の嗜好に合わせた弾力を有する冷凍水産練製品並びにその製造方法及びその調理方法を提供すること。【解決手段】魚のすり身を攪拌機に投入し、調味料で味を調え調合すり身として整形する工程と、調合した魚のすり身を４時間乃至１２時間０℃乃至７℃で低温保管する工程と、その後−４０℃乃至−２０℃で急速冷凍する工程を経て製造された冷凍水産練製品であり、この冷凍水産練製品をそのまま加熱調理するか、または解凍した後加熱調理することを特徴とする。【特許請求の範囲】
【請求項１】
魚のすり身を攪拌機に投入し、調味料で味を調え調合すり身として整形する工程と、前記調合すり身を４時間乃至１２時間０℃乃至７℃で低温保管する工程と、その後−４０℃乃至−２０℃で急速冷凍する工程とを備えたことを特徴とする冷凍水産練製品の製造方法。
【請求項２】
請求項１記載の製造方法にて製造された冷凍水産練製品。
【請求項３】
請求項２記載の冷凍水産練製品をそのまま加熱調理することを特徴とする冷凍水産練製品の調理方法。
【請求項４】
請求項２記載の冷凍水産練製品を解凍した後加熱調理することを特徴とする冷凍水産練製品の調理方法。
【発明の詳細な説明】
【技術分野】
【０００１】本発明は、冷凍水産練製品及びその製造方法に関わり、特に冷凍保存した無加熱水産練製品生地を加熱調理することにより、自在に製品の弾力を変えることのできる焼きたて水産練製品の調理方法に関するものである。
【背景技術】
【０００２】水産練製品（例えばかまぼこ等）の歯応えに関する個人的な好みは、高齢者や若者あるいは個人の嗜好により異なるものであるが、製品として出来上がったものはほぼ同じ弾力である。
また、水産練製品は保存料等を使用することにより、ある程度消費期限を延ばすことができるが、生ものであるためその延長期間は短い。
【先行技術文献】
【特許文献】
【０００３】
【特許文献１】特開平８−２２８７２５号
【発明の概要】
【発明が解決しようとする課題】
【０００４】今までの水産練製品には次のような欠点があった。
水産練製品は製造の仕方がある程度決まっているため、出来上がった製品はほぼ同じ弾力のものである。そのため、製品の歯応えに関して水産練製品を食する年代層の違いや各人の嗜好の違い等に対応できる製品はなかった。
また、水産練製品の多くは非冷凍状態で保存料等を使用して消費期限を延ばすのが通例であった。
本発明の目的は、冷凍状態の水産練製品を所定の方法で調理することにより、消費者の嗜好に合った弾力が得られる水産練製品を提供することである。
また、無加熱水産練製品生地を所定の方法で冷凍保存することにより、いつでも焼きたてのおいしさを賞味できる消費期限を長くすることである。
【課題を解決するための手段】
【０００５】上記目的を達成するために、本発明は、魚のすり身を攪拌機に投入し、調味料で味を調え調合すり身として整形する工程と、調合した魚のすり身を４時間乃至１２時間０℃乃至７℃で低温保管する工程と、その後−４０℃乃至−２０℃で急速冷凍する工程を経て製造された冷凍水産練製品であり、この冷凍水産練製品をそのまま加熱調理するか、または解凍した後加熱調理することを特徴とする。
【発明の効果】
【０００６】今までの既存の水産練製品では、ほぼ同程度の弾力のものしかなかったが、本発明では、本発明の冷凍水産練製品を直接加熱調理するか、または解凍後加熱調理するかにより、消費者の好みに合わせた弾力の異なる水産練製品を得ることができる。
また、調理前は冷凍状態であるため長期間保存できるので、加熱調理による焼きたてのおいしさを消費期限内で維持できる。
【発明を実施するための形態】
【０００７】本発明の水産練製品の製造方法について説明する。
まず、原料となる魚のすり身を攪拌機に投入し、調味料で味を整えて調合すり身を製造して所望の形に整形する。
その後、所望の形に整形した調合すり身を冷蔵庫で４時間乃至１２時間低温保管する。
さらにその後、この調合すり身を−４０℃乃至−２０℃で急速冷凍または−１５℃程度で普通冷凍する。
【０００８】次に、本発明の水産練製品の調理方法について説明する。
上記方法にて製造した冷凍水産練製品をそのまま使用して、焼いたり揚げたりすることにより加熱調理して調理済みの水産練製品を得る。
この方法により得られた水産練製品は、冷凍状態を経ない従来の水産練製品に比べて、弾力が大きいため、食した際に今まで以上の歯応えを感じることができる。
【０００９】また、上記方法にて製造した冷凍水産練製品を一旦解凍したものを使用して、焼いたり揚げたりすることにより加熱調理して調理済みの水産練製品を得てもよい。
この場合には、冷凍状態を経ない従来の水産練製品に比べて、弾力が大きい水産練製品を得ることができるが、前述の冷凍状態のまま加熱調理したものと比べて、弾力は小さくなる。
【００１０】表１及び表２に本発明の調理前の冷凍水産練製品に関する実験データの概略を示す。
表１は、冷凍状態での水産練製品が破断するまでの歪率と加えられた荷重を示している。
これによると、歪率９５％の時点で水産練製品は破断しており、その時に加えられた荷重は４２９０ｇｆである。
また表２は、調理前の冷凍水産練製品を氷水にて解凍した水産練製品が破断するまでの歪率と加えられた荷重を示している。
これによると、歪率８３％の時点で水産練製品は破断しており、その時に加えられた荷重は２７６０ｇｆである。
【００１１】
【表１】
2014008059.tif 000002
【００１２】
【表２】
2014008059.tif 000003
【００１３】このように、本発明の冷凍水産練製品は調理の仕方、つまり、加熱する前の水産練製品の状態（冷凍状態または解凍状態）により、調理後の水産練製品の弾力の大きさを変えることができるので、異なる歯応えや食感を楽しむことができる。
(57)【要約】【課題】  園芸作業には、施肥、雑草抜き、芽摘み、剪定、が欠かせませんが、各作業共、手入れ用具を持ち、古い固形肥料、抜いた雑草、摘んだ芽、剪定した枝、等も回収し持たなければならない為、一つの用具で間に合うことが出来るガーデニング・スーパー・バケツを提供する。【解決手段】  長方形状のバケツ容器に、取り外しできる２枚の仕切り板で４区画に仕切り、バケツ容器の周壁に水量目盛を設け、開口縁の一角に注ぎ口を設け、２本の把手を設けたことを特徴とするガーデニング・スーパー・バケツ。【選択図】図１
2014008055.tif 000002
【特許請求の範囲】
【請求項１】
長方形状のバケツ容器の内側に、２枚の取り外しできる仕切り板下及び、仕切り板上を対角線上に、仕切り板組み合わせ穴を上下に組み合わせる形で、設け、複数種類の収容物を入れるため、４つの区画に仕切り、バケツ容器の開口縁の一角に注ぎ口を設け、バケツ容器周壁の長手壁の両サイドの内、又は外壁面の中心線上に、垂直に水量目盛を設け、バケツ容器の開口縁の長手辺の両サイドに、水量目盛線を股ぐように、各々２つ、計４つの把手取り付け穴を設け、対向する２組の把手取り付け穴に各々把手を設け、計２本の把手を取り付けたことを特徴とするガーデニング・スーパー・バケツ。
【発明の詳細な説明】
【技術分野】
【０００１】  本発明は、園芸作業に於いて、施肥、雑草抜き、芽摘み、剪定等、を園芸手入れ用具をもちいて、移動しながら行え、その上、液肥、消毒液の混合に関するものである。
【背景技術】
【０００２】  従来、園芸は、用具をもちいて施肥、雑草抜き、芽摘み、剪定、等を行うが、固形肥料を施すときは、前回施した古い固形肥料の回収、雑草抜きは抜いた雑草、芽摘みは摘んだ芽、剪定は剪定した枝、の回収が必要なため、別々に作業をしておりました。
【先行技術文献】
【０００３】
【発明の概要】
【発明が解決しようとする課題】
【０００４】  園芸作業は、従来、施肥、雑草抜き、芽摘み、剪定、を別々に行い非効率的であった。
本発明は、以上の問題点を解決するためになされたものである。
【課題を解決するための手段】
【０００５】  長方形状のバケツ容器の内側に、２枚の取り外しできる仕切り板下及び仕切り板上を、対角線上に、仕切り板組み合わせ穴を上下に組み合わせる形で、設け、複数種類の収容物を入れる為の４つの区画に仕切る。バケツ容器の開口縁の一角に注ぎ口を設け、バケツ容器周壁の長手壁の両サイドの内又は外壁面の中心線上に垂直に水量目盛を設ける。バケツ容器の開口縁の長手辺の両サイドの中央部に、水量目盛線を股ぐように、各々２つ、計４つの把手取り付け穴をもうける。対向する２組の把手取り付け穴に各々把手を設け、計２本の把手を取り付ける。
以上を特徴とする、ガーデニング・スーパー・バケツである。
【発明の効果】
【０００６】  従来園芸作業は何回にも分け、時間と手数をかけて行っていたが、長方形のバケツに、２枚の仕切り板を入れ、４区画に分け、手入れ用具、新しい固形肥料、回収した古い固形肥料、抜いた雑草、摘んだ芽、剪定した枝、などを入れ移動しながら作業ができる。
その上仕切り板を取り外し、バケツとして利用するこきは、水量目盛をつかい液肥、消毒液の混合に、そして、ジョーロ、噴霧器など他の容器には注ぎ口より注入すれば漏らすことなく移し変えることができる。
【図面の簡単な説明】
【０００７】
【図１】  本発明の斜視図
【図２】  本発明の平面図
【図３】  本発明の長手側面図
【図４】  本発明の短手側面図
【図５】  本発明の仕切り板下正面図
【図６】  本発明の仕切り板上正面図
【発明を実施するための形態】
【０００８】  以下、本発明の形態を説明する。
長方形状のバケツ容器（３）の内側に、２枚の取り外しできる仕切り板下（５）及び仕切り板上（６）を、対角線上に、仕切り板組み合わせ穴（９）を上下に組み合わせる形で、設け、複数種類の収容物を入れる為の４つの区画に仕切る。バケツ容器（３）の開口縁（８）の一角に注ぎ口（７）を設け、バケツ容器周壁の長手壁の両サイドの内又は外壁面の中心線上に垂直に水量目盛（４）を設ける。バケツ容器（３）の開口縁（８）の長手辺の両サイドの中央部に、水量目盛を股ぐように、各々２つ、計４つの把手取り付け穴を設ける。対向する２組の把手取り付け穴に各々把手（１）を設け、計２本の把手（１）を取り付ける。
本発明は以上のような構造であり、以下実施の形態を説明する。
仕切り板下（５）と仕切り板上（６）を対角線上に、仕切り板組み合わせ穴（９）を上下に組み合わせて４区画にして、園芸手入れ用具、新しい固形肥料、を別々の区画に入れ、前回施した古い固形肥料を回収しながら施肥をし、雑草を抜き、芽摘み、剪定等を行い、回収した古い固形肥料、抜いた雑草、摘んだ芽、剪定した枝等を、空いた区画に入れて、持ち運びしながら効率よく一度に作業をすることが出来る。
その上、仕切り板上側（６）と仕切り板下側（５）を取り外し、バケツ容器（３）として、使用することもでき、水量目盛（４）を利用し、液肥、消毒液等の混合に使用し、ジョーロ、噴霧器等、他の容器に移し変えるときは、注ぎ口（７）を使えば、漏らすことなく行うことが出来る。
【符号の説明】
【０００９】１    把手              ２    把手取り付け穴          ３    バケツ容器
４    水量目盛          ５    仕切り板下              ６    仕切り板上
７    注ぎ口            ８    開口縁                  ９    仕切り板組み合わせ穴
【図１】
2014008055.tif 000003
【図２】
2014008055.tif 000004
【図３】
2014008055.tif 000005
【図４】
2014008055.tif 000006
【図５】
2014008055.tif 000007
【図６】
2014008055.tif 000008
(57)【要約】      （修正有）【課題】乾燥ムラを解消し、製品の色と乾燥効率を改善した製茶ラインを提供する。【解決手段】製茶ラインにおいて揉乾装置と揉乾装置との間に揉捻機Ａ、Ｂ、Ｃ、Ｄ、Ｅ、Ｆを配置すること、またはすべての揉乾装置と揉乾装置との間に揉捻機Ａ、Ｂ、Ｃ、Ｄ、Ｅ、Ｆを配置することにより表面だけが乾燥する上乾きにより、粉が多く発生したりすることがなく、製品の色と乾燥効率が改善された製茶ラインとする。【選択図】図１
2014008035.tif 000002
【特許請求の範囲】
【請求項１】
製茶ラインにおいて、揉乾装置と揉乾装置との間に揉捻機を配置することを特徴とする製茶ライン。
【請求項２】
すべての揉乾装置と揉乾装置との間に揉捻機を配置することを特徴とする請求項１記載の製茶ライン。
【発明の詳細な説明】
【技術分野】
【０００１】
本発明は、製茶ラインに関するものであり、製茶ラインにおける配置に関するものである。
【背景技術】
【０００２】
製茶ラインは、基本的に蒸熱工程→粗揉工程→揉捻工程→中揉工程→精揉工程→乾燥工程となっており、この中で、粗揉工程、中揉工程、精揉工程は、茶葉を揉みながら乾燥する揉乾装置を備えている。現在の主流は、粗揉工程を蒸葉処理機、葉打機、第１粗揉機と第２粗揉機等の揉乾装置に細分化し、中揉工程を第１中揉機と第２中揉機等の揉乾装置に細分化している。（細分化はこの限りではない）
【０００３】
特許文献１には、葉打機、揉捻機、粗揉機の粗揉工程が記載されている。特許文献２には、生の茶葉の状態（極みるめ、普通、やや硬葉あるいは硬葉）によって、各機器の通過順序を変えることが記載されている。
【先行技術文献】
【特許文献】
【０００４】
【特許文献１】実開昭６１−１９３７９０号公報
【特許文献２】特許第２８０２８８５号公報
【発明の概要】
【発明が解決しようとする課題】
【０００５】
特許文献１、２の場合、揉捻機の配置が不十分であり、乾燥ムラを完全には解消できず、表面だけが乾燥する上乾きにより、粉が多く発生したり、製品の色と乾燥効率が悪くなってしまう問題点があった。
【課題を解決するための手段】
【０００６】
本発明の第１手段は、製茶ラインにおいて、揉乾装置と揉乾装置との間に揉捻機を配置する。本発明の第２手段は、前記第１手段の製茶ラインにおいて、すべての揉乾装置と揉乾装置との間に揉捻機を配置する。
【発明の効果】
【０００７】
本発明の製茶ラインにより、各揉乾装置で発生する乾燥ムラを揉捻機ですぐさま修正できるため、表面だけが乾燥する上乾きの状態にならず、茶製品の色と乾燥効率がよくなる。また、上乾きを改善することにより、茶葉が粉になりにくく、歩留まりが向上する。更に、揉捻機を多く使用することで、茶葉によれ形がつき、煎茶特有の伸びた形状となる。
【図面の簡単な説明】
【０００８】
【図１】図１は製茶ライン構成の実施例１を示した説明図である。
【図２】図２は製茶ライン構成の実施例２を示した説明図である。
【図３】図３は製茶ライン構成の実施例３を示した説明図である。
【発明を実施するための形態】
【０００９】
本発明は、揉乾装置と揉乾装置の間に揉捻機を配置する。また、茶葉の状態により揉捻機使用、未使用のバイパス回路を設けるとよい。揉捻機については、一般的な製茶用揉捻機の他に、同様な効果が得られる蒸茶葉捏揉機やその他の揉捻機（茶葉を揉みこむことが出来るもの）を使用しても良い。
【実施例１】
【００１０】
実施例１について、図１を参照する。本実施例は、全ての揉乾装置と揉乾装置の間に揉捻機Ａ〜Ｆを配置している。蒸葉処理機後の揉捻機は、含水率の多いミル芽では必要ないが、含水率の少ない硬葉では使用するとよい。
【実施例２】
【００１１】
実施例２について、図２を参照する。本実施例では、蒸葉処理機と葉打機の後には、揉捻機を配置していない。第１粗揉機以降の揉乾装置と揉乾装置の間に揉捻機Ｃ〜Ｆを配置している。
【実施例３】
【００１２】
実施例３について、図３を参照する。本実施例では、葉打機以降の揉乾装置と揉乾装置の間に揉捻機Ｂ〜Ｆを配置している。
【符号の説明】
【００１３】
Ａ，Ｂ，Ｃ，Ｄ，Ｅ，Ｆ    揉捻機
【図１】
2014008035.tif 000003
【図２】
2014008035.tif 000004
【図３】
2014008035.tif 000005
(57)【要約】      （修正有）【課題】溶けたアイスクリームを用いてコーンカップを食べさせることができるソフトクリームを提供する。【解決手段】ソフトクリーム１０は、コーンカップ１２内にデザート具材１４を詰め込み、デザート具材の上にデザート用ソース１６を掛け、デザート用ソースにシリアル１８を振り掛けた後に、コーンカップにアイスクリーム２０を盛り付けることにより形成される。アイスクリームを食べ終わるころには、溶けた適量のアイスクリームがデザート具材とデザート用ソースに混入する。ソフトクリームによると、アイスクリームを食べ終わっても、アイスクリームが混在したデザートを食べることができることから、コーンカップを食べさせることができる。【選択図】図１
2014008034.tif 000002
【特許請求の範囲】
【請求項１】
コーンカップと、コーンカップの内部に詰め込む菓子類及び／又は果物からなるデザート具材と、そのデザート具材に掛けるデザート用ソースと、そのデザート用ソースに振り掛けるシリアルと、コーンカップに盛り付けるアイスクリームとを備えることを特徴とするソフトクリーム。
【発明の詳細な説明】
【技術分野】
【０００１】
本発明は、ソフトクリームに関するものである。
【背景技術】
【０００２】
ソフトクリームは、アイスクリームと、そのアイスクリームを盛って手に持つためのコーンカップからなるものである。アイスクリームは、食べているうちに外気で溶けるため、溶けたアイスクリームで手が汚れることがある。そのため、ゆっくりとソフトクリーム（アイスクリーム）を食べられるソフトクリーム類用コーンカップが提供されている（例えば、特許文献１）。
【先行技術文献】
【特許文献】
【０００３】
【特許文献１】特開２００３−７０４１５号公報
【発明の概要】
【発明が解決しようとする課題】
【０００４】
特許文献１のコーンカップは、外側コーンカップの内側に中空の逆円錐形のストッパーリングをはめ込み、ストッパーリングの孔部に内側コーンカップの下部を挿入して、外側コーンカップと内側コーンカップとの間に、溶けたアイスクリームを溜める空間を形成する。溶けたアイスクリームは、空間に流れ込んで留まるため、外側コーンカップの表面に溶けたアイスクリームが伝うことがなく、溶けたアイスクリームで手が汚れることを防止できる。また、コーンカップを２重に形成することにより、アイスクリームも溶け難くなるため、ゆっくりとソフトクリームを食べることができる。
しかし、特許文献１のコーンカップによると、アイスクリームを食べた後にコーンカップのみが残る。そのため、場合によっては、食べられることなく捨てられる可能性がある。
また、コーンカップの下部から溶けたアイスクリームが流れ出て、手が汚れるおそれがある。
従って、近年では、コーンカップ以外のカップにアイスクリームを入れられたものを購入するユーザもいる。
【０００５】
本発明は、上記問題を解決するものであって、溶けたアイスクリームを用いてコーンカップを食べさせることができるソフトクリームを提供することを目的とするものである。
【課題を解決するための手段】
【０００６】
本発明のソフトクリームは、コーンカップと、コーンカップの内部に詰め込む菓子類及び／又は果物からなるデザート具材と、そのデザート具材に掛けるデザート用ソースと、そのデザート用ソースに振り掛けるシリアルと、コーンカップに盛り付けるアイスクリームとを備えるようにしたものである。
【発明の効果】
【０００７】
本発明のソフトクリームは、溶けたアイスクリームをシリアルを介してデザート具材とデザート用ソースに混入させるものである。これにより、アイスクリームを食べている間にコーンカップ内に溶けて流れ込むアイスクリームの量を制限して、手の汚れを防止できる。また、アイスクリームを食べ終わったころに、溶けたアイスクリームが混在したデザートを食べることができることから、コーンカップを捨てさせることなく、コーンカップにアイスクリームを盛ったソフトクリームをすべて食べさせることができる。
【図面の簡単な説明】
【０００８】
【図１】本発明のソフトクリームの構成を表わす図である。
【発明を実施するための形態】
【０００９】
本発明は、コーンカップにアイスクリームを盛ったソフトクリームにおいて、コーンカップを捨てずに食べさせることを実現するものである。
【実施例】
【００１０】
本発明の花粉交配機を図に基づいて説明する。図１は、本発明のソフトクリームの構成を表わす図である。
本発明のソフトクリーム１０は、コーンカップ１２と、コーンカップ１２の内部に詰め込むデザート具材１４と、そのデザート具材１４に掛けるデザート用ソース１６と、そのデザート用ソース１６に振り掛けるシリアル１８と、コーンカップ１２に盛り付けるアイスクリーム２０とを備えるものである。
デザート具材１４は、例えば、揚げパン，シュークリーム，スポンジケーキ，マロン，黄粉をまぶした団子（餅）などの菓子類や、イチゴなどの果物である。
デザート用ソース１６は、例えば、生クリーム、あん、団子のたれなどである。
シリアル１８は、トウモロコシ、大麦、小麦、米などを加熱調理して、１ｃｍ程度の長さの薄い破片に成型されたものである。一般には、牛乳などを掛けて食べられている食品である。
【００１１】
本発明のソフトクリーム１０は、コーンカップ１２内にデザート具材１４を詰め込み、デザート具材１４の上にデザート用ソース１６を掛け、デザート用ソース１６にシリアル１８を振り掛けた後に、コーンカップ１２にアイスクリーム２０を盛り付けることにより形成される。
【００１２】
従来のソフトクリームでは、アイスクリーム２０とコーンカップ１２との間に空間が形成される場合（アイスクリーム２０がコーンカップ１２内部に充填されない場合）がある。
これに対し、本発明のソフトクリーム１０では、その空間にシリアル１８、デザート用ソース１６及びデザート具材１４が充填されることから、アイスクリーム２０とコーンカップ１２との間に空間は形成されない。従って、溶けたアイスクリーム２０は、コーンカップ１２に直接吸収されることはなく、シリアル１８を通じてデザート用ソース１６及びデザート具材１４に流れ込む。アイスクリーム２０を食べ終わるころには、溶けた適量のアイスクリーム２０がデザート用ソース１６とデザート具材１４に混入（又は浸透）する。ソフトクリーム１０によると、アイスクリーム２０を食べ終わっても、アイスクリームが混在したデザートを食べさせることができる。従って、本発明によると、コーンカップを捨てさせることなく、コーンカップにアイスクリームを盛ったソフトクリームをすべて食べさせることができる。
また、コーンカップ１２内に溶けて流れ込むアイスクリーム２０の量が制限されるため、手の汚れを防止することもできる。
【符号の説明】
【００１３】
１０  ソフトクリーム
１２  コーンカップ
１４  デザート具材
１６  デザート用ソース
１８  シリアル
２０  アイスクリーム
【図１】
2014008034.tif 000003
(57)【要約】      （修正有）【課題】トゲの木に触れることなく簡単に新芽だけをとることができる用具を提供する。【解決手段】用具２を伸縮棒１に付け、高い所の新芽を挟み、引いたり、左右に廻すことにより新芽だけをとる。【選択図】図２
2014008061.tif 000002
【特許請求の範囲】
【発明の詳細な説明】
〔請求項１〕
用具で挟む事で、簡単に採取する事が出来て枝を切らないので直ぐに２番芽が出る。
【発明の詳細な説明】
【０００１】本発明は、トゲの木に触る事がなく、簡単に新芽だけ採る事が出来る用具。
【０００２】従来の高枝切りで採ると木が枯れる事が多くこれを使うと毎年楽しめます。
【０００３】  伸縮棒で高い所も簡単に採れ、持ち運びやすく袋を付けると、いちじくも採れるので一石二鳥の『たらポン』です。
【図１】
2014008061.tif 000003
【図２】
2014008061.tif 000004
【図３】
2014008061.tif 000005
【図４】
2014008061.tif 000006
【手続補正書】
【提出日】平成24年8月21日(2012.8.21)
【手続補正２】
【補正対象書類名】特許請求の範囲
【補正対象項目名】全文
【補正方法】変更
【補正の内容】
【特許請求の範囲】
【請求項１】
用具で挟む事で、簡単に採取する事が出来て枝を切らないので直ぐに２番目が出る。
【手続補正３】
【補正対象書類名】明細書
【補正対象項目名】全文
【補正方法】変更
【補正の内容】
【発明の詳細な説明】
【０００１】本発明は、トゲの木に触れる事無がなく、簡単に新芽だけ採る事が出来る用具。
【０００２】従来の高枝切りで採ると木が枯れる事が多くこれを使うと毎年楽しめます。
【０００３】伸縮棒で高い所も簡単に採れ、持ち運びやすく袋を付けると、いちじくも採れるので一石二鳥の『たらポン』です。
【図面の簡単な説明】
【０００４】
【図１】図１は、実物大の（小）の図です．（大）は、横１５ｃｍ  縦３５ｃｍで栗等も採れます。
【図２】図２は、新芽に用具を挟んだ図です。
【図３】図３は、ひく事により、確実に挟んだ図です。
【図４】図４は、新芽だけが、ポンと採れた図です。
【符号の説明】１  は伸縮棒。
２  は用具の角度調節部。
(57)【要約】【課題】南瓜を無理なく割ることができる用具を提供する。【解決手段】木製極小型で柄の付いた斧の上面に金属の打撃部を設け、逆さまにした南瓜にその斧の円弧状の刃部分をあて、上面の金属の打撃部を金槌で軽く打ち込むことで南瓜割りを可能とするよう構成したことを特徴とする。【選択図】図６
2014008386.tif 000002
【特許請求の範囲】
【請求項１】
下方に円弧状の刃を有する斧本体を設け、斧本体側面に柄を設けるとともに、斧本体上面部に打撃部を設けてなる、南瓜を簡単に割ることを可能とするように構成したことを特徴とする斧型南瓜割り具。
【発明の詳細な説明】
【技術分野】
【０００１】  この発明は、必要に応じて皮の硬い南瓜を簡単に割ることができる用具に関する。
【背景技術】
【０００２】  従来より、南瓜を割るには多様な刃物などが利用されているが、本発明にて示すように、木製斧型南瓜割り具のような簡便な用具は見あたらない。
【発明の概要】
【発明が解決しようとする課題】
【０００３】  従来、南瓜を割るには包丁など金属の刃物類を用いるが、簡単に割る、或いは切ることができず難儀している。割るのが困難なため１個まま電子レンジなどを使用して料理する人もいるが、半分も必要としない場合は困ってしまうのである。これに適した扱いやすい南瓜割り具が望まれているが、今だ見あたらないのが現状である。本発明は以上に鑑み、従来の金属の刃物類、或いは電子レンジに代えて新規な木製斧型南瓜割り具を創出するものである。【０００４】  課題を解決する手段として本発明は以下の構成とした。
すなわち、木製極小型で柄の付いた斧本体の平面を有する上面に金属の打撃部を設け、逆さまにした南瓜に、その斧本体の下部の円弧状の刃を当て、金属の打撃部を金槌で軽く打ち込むことで南瓜割りを可能とするよう構成した。
本発明は以上の構成よりなる木製斧型南瓜割り具である。
【発明の効果】
【０００５】本発明は以下の効果を有する。
１．包丁のような刃の薄い物は、切り込むと刃が食い込み、無理をすると刃が欠けたり、斜めに切れ込むこともある。また、抜け難くなることもある。しかし、本発明は、その様なことはなく、逆さにした南瓜の底面の上下を軽く金槌で打ち込むと、２等分、４等分にできる。割れた南瓜は包丁で容易に切ることができる。
２．割れた南瓜の種、ワタも斧の刃部分が円弧状になっているので、簡単に掻きだすことができる。
３．斧に柄が付いていることで持ちやすく、金槌で誤って指を打ち込む心配もなく、女性や高齢者でも容易に扱うことが可能である。
４．構造シンプルにして操作容易のため、比較的安価にて一体成型可能の材料で製造でき、扱いやすい物品を提供できる。
５．木製斧型南瓜割り具という使い方の他に、装飾品としても使用できる。
【図面の簡単な説明】
【０００６】
【図１】  本発明の平面図
【図２】  本発明の底面図
【図３】  本発明の左側面図
【図４】  本発明の右側面図
【図５】  本発明の正面図（背面図は省略）
【図６】  本発明の斜視図
【図７】  本発明の内部構造説明図
【図８】  本発明の使用図
【図９】  本発明の他例による内部構造説明図
【発明を実施するための最良の形態】
【０００７】  以下、本発明の実施形態について説明する。
図において、１は上部に平面を有する木製の斧本体である。この本体は斧型で下部に鋭利でない円弧状の刃６が設けられ、上面部には打ち込み用の打撃部を設ける。打撃部は金属性有孔円板３、その金属性有孔円板を固定する金属止めビス４で一対をなし、さらに、本体側面上部に柄結合穴１１を設け、持ち手である円柱形の柄２を差し込み接着結合し、その柄にヒモを付ける吊し穴５を設ける。【０００８】  本発明は斧本体１の下部に、下向きに円弧状の刃６が設けられ、側面に柄２を有する。二等分する場合、まず頭の中に割る対象としている逆さまにした南瓜上中心部から等分にする直線をイメージし、直線の上部に円弧状の刃６を当てる。次に斧本体１の平面上部に設けられた打撃部の一対をなす金属性有孔円板３・金属止めビス４を金槌で深さ５ｍｍ位の切り込みができるまで軽く打ち込む。つづいて南瓜の直線上の下部に当たる反対側も同様に金槌で深さ５ｍｍ位の切り込みができるまで軽く打ち込む。最後に南瓜の芯部を僅かにかわして、直線上を少し強めに打ち込むと図８のように二等分に割れる。さらに打撃部の一対をなす金属性有孔円板３・金属止めビス４は斧本体内部の軸心（図７）となり、金槌の打撃が真下の円弧状の刃６中心部に伝達され、南瓜に食い込む強い力が生まれる。また、斧本体上面の打撃による損傷を防ぐことができる。刃６を鋭利にしないのは南瓜の皮の堅さにより刃の欠けるのを防ぎ、扱う上での危険性を防ぐためである。また、南瓜の種、ワタは本体の刃が円弧状の刃６になっているので、掻き出すことが容易にできる。そして、円弧状の刃のために、南瓜に当てる刃の角度変化にも対応することができる。【０００９】  以上、本発明について記したが、本発明は必要に応じて、四等分、更に小さく割ることも可能である。従来はこのような用具がないため、危険と不便さを感じながら包丁などで切る、割るなどしていた。本発明にてこれが解決するものとなったのである。
一般に円弧状の刃部の狭いオノを斧と書き、円弧状の刃部の広いオノを鉞と云うが、総称して斧とも言う。【００１０】図９は本発明の他例を示すもので、打撃部の金属性有孔円板３を樹脂１０にて構成したものである。
【符号の説明】
【００１１】１    斧本体
２    柄
３    金属性有孔円板
４    金属止めビス
５    吊し穴
６    円弧状の刃
７    南瓜
８    南瓜果肉部分
９    南瓜皮部分
１０  樹脂
１１  柄結合穴
【図１】
2014008386.tif 000003
【図２】
2014008386.tif 000004
【図３】
2014008386.tif 000005
【図４】
2014008386.tif 000006
【図５】
2014008386.tif 000007
【図６】
2014008386.tif 000008
【図７】
2014008386.tif 000009
【図８】
2014008386.tif 000010
【図９】
2014008386.tif 000011
(57)【要約】【課題】  本発明は、茶の成分抽出後に茶碗やカップからティーバッグを取り出す際に、ティーバッグから水滴が落下するのを防止するため水切り板を取り付け、ティーバッグに含まれる水分を除去することができるティーバッグの水切り具を提供する。【解決手段】    二つ折りにした水切り板の開いている方向から折り目の中間に糸を通してタグに固着し、タグと反対側にあるもう一方の糸端をティーバッグに固着し、水切り板はティーバッグとタグとを繋いだ糸に沿って水切り板がスライドすることを特徴とするティーバッグの水切り具。【選択図】図１
2014008381.tif 000002
【特許請求の範囲】
【請求項１】
二つ折りにした水切り板の開いている方向から折り目の中間に糸を通してタグに固着し、タグと反対側にあるもう一方の糸端をティーバッグに固着し、水切り板はティーバッグとタグとを繋いだ糸に沿って水切り板がスライドすることを特徴とするティーバッグの水切り具。
【請求項２】
ティーバッグとタグを繋いでいる糸をティーバッグ側に広く、タグ側を細くしたテーパー状筒の先端を通し、タグを引くことにより糸で繋がれたティーバッグはテーパー状筒に引き込まれながら水切りを行うことを特徴とするティーバッグの水切り具。
【請求項３】
ティーバッグに固着した糸は、ティーバッグ上部からティーバッグ内部を通過し、ティーバッグ底部に固着されていることを特徴とするティーバッグの水切り具。
【発明の詳細な説明】
【技術分野】
【０００１】  本発明は、茶の成分を抽出後に茶碗やカップからティーバッグを取り出す際に、ティーバッグから水滴が落下するのを防止するため水切り板を取り付け、ティーバッグに含まれる水分を除去することができるティーバッグの水切り具に関するものである。
【背景技術】
【０００２】  従来、茶の成分を抽出後のティーバッグに含まれた水分を除去する一般的な方法はなかった。
【先行技術文献】
【特許文献】
【０００３】
【特許文献１】  特開２００６−１４８４４号公報
【特許文献１】  特開  平７−１４８４４号公報
【発明の概要】
【発明が解決しようとする課題】
【０００４】  カップ、または茶碗等の中にある茶、紅茶、コーヒー等の入ったティーバッグに白湯を注ぎ茶成分の抽出を行った後、ティーバッグをカップや茶碗から取り出す際、余剰な水分を吸収した茶葉の入ったティーバッグから水滴が滴り落ち、受け皿、テーブル、布巾等を汚していた。
また、屑かご等に捨てる場合に茶の抽出成分を含んだ水分が滴り落ちて、床や屑かご内部が汚れるなどの不具合を生じていた。
本発明はこの課題を解消するためになされたものである。
【課題を解決するための手段】
【０００５】  二つ折りにした水切り板（９）の折り目（１０）に糸（６）を通し、糸（６）の両端をタグ糸固着部（７）と糸固着部（４）にそれぞれに接着してタグ（８）とティーバッグ（１）を繋いでいる。
水切り板（９）は折り目（１０）の中間付近を通した糸（６）に沿ってティーバッグ（１）側にスライドすることを特徴とする。
ティーバッグ（１）とタグ（８）を繋いでいる糸（６）の中間付近に、ティーバッグ側を広く、タグ側を細くしたテーパー状筒（１３）の中、およびスライド部（１１）に糸（６）を通しておき、テーパー状筒（１３）は糸（６）に沿ってティーバッグ（１）側にスライドすることを特徴とする。
【発明の効果】
【０００６】  白湯を注いで茶、紅茶、コーヒー等の茶成分を抽出した後に、ティーバッグを取り出す際、ティーバッグに含まれる余剰水分はカップや茶碗に戻され、受け皿、テーブル、布巾等を汚すなどの不具合を生じなくなる。
【図面の簡単な説明】
【０００７】
【図１】  本発明の使用状態を示した斜視図である。
【図２】  本発明の使用状態を示した斜視図である。
【図３】  本発明の断面図である。
【図４】  本発明の断面図である。
【発明を実施するための形態】
【０００８】  以下、本発明の実施の形態を説明する。
図１は、本発明に係わるティーバッグを茶碗に入れ、水切り板の使用状態を示した斜視図である。
糸（６）の両端がティーバッグ（１）とタグ（８）に固定して繋がっており、糸（６）の中間付近に二つ折りにした水切り板（９）が折り目（１０）をタグ（８）側に向けて取り付けてある。
糸（６）は折り目（１０）中間のスライド部（１１）を貫通し、水切り板（９）は糸（６）に沿ってスライド可能であることを特徴とする。
図２は、本発明に係わるティーバッグを茶碗に入れ、テーパー状筒の使用状態を示した斜視図である。
テーパー状筒（１３）の広い方をティーバッグ（１）側に、細い方をタグ（８）側に向けて配置したテーパー状筒（１３）のスライド部（１１）に糸（６）が通してあり、糸（６）の両端はティーバッグ（１）とタグ（８）に接着されていて、テーパー状筒（１３）はスライド部（１１）を通した糸（６）に沿ってスライド可能であることを特徴とする。
テイーバッグ底部（３）の中央付近、糸固着部（４）に固着した糸（６）を、ティーバッグ（１）内部を通して上側のスライド部（１１）に通し、タグ（８）のタグ固着部（７）に接着しても良い。
水切り板（９）、テーパー状筒（１３）の材料は紙、木、合成樹脂などの通常のものでよい。
水切り板（９）の形状は二つ折りにした円状、三角形状、多角形状、動植物やキャラクターの形状であっても良い。
テーパー状筒（１３）の断面形状は、丸形、三角形、多角形としても良い。
【産業上の利用可能性】
【０００９】  本発明に関わるティーバッグは、工業的に量産することが可能であるため、産業上の利用可能性を有する。
【符号の説明】
【００１０】１  ティーバッグ
２  ティーバッグ上部
３  ティーバッグ底部
４  糸固着部
５  糸通過部
６  糸
７  タグ糸固着部
８  タグ
９  水切り板
１０  折り目
１１  スライド部
１２  カップ又は茶碗
１３  テーパー状筒
【図１】
2014008381.tif 000003
【図２】
2014008381.tif 000004
【図３】
2014008381.tif 000005
【図４】
2014008381.tif 000006
(57)【要約】      （修正有）【課題】ふとんを重ねることにより、送風通路を圧迫し風が流れにくくなったり、足先が重く寝苦しく病床の患者は寝返り出来ない等の不具合を解決する通風路付掛カバーを提供する。【解決手段】掛ふとん用通風路付掛カバー１の足元近くの通風路布７の上面に、ヤグラ６を出入れ出来る様にし、送風通路８が開放されて温風が流れやすくした。ヤグラ６を使用することで足部ドーム１０が形成され足先の圧迫感もなくなる。【選択図】図２
2014008388.tif 000002
【特許請求の範囲】
【請求項１】
掛ふとん用通風路付掛カバー（１）の足元近くの通風路布（７）の上面に、ヤグラ（６）を出入れ出来る様にしたことを特微とする、通風路付掛カバー（１）
【請求項２】
掛ふとん用通風路付掛カバー（１）の通風布（４）の上面に、ドーム状棒（１６）を入れて送風通路（８）の温風を流れやすくしたことを特微とする通風路付掛カバー（１）
【発明の詳細な説明】
【発明の詳細な説明】
【技術の分野】
本発明は健康福祉と省エネに関する分野
【０００１】従来の商品は、秋冬の季節になるとふとんを重ねて足元が圧迫され病床の人や老人の人は寝返りが苦しく、且温風が流れにくい為、汗が溜り湿度９０％に達する上寝床内温度も体温に近く上昇し不眠の環境にくるしんでいました。
この為に風圧が２倍に上る性能の暖房機を使用して快眠環境をつくっていました。
風量を上げると、電気代が２倍になり、ＣＯ２の発生も増え  且音も高くなり  睡眠の障害になりこまつている現状です。
【背景技術】ヤグラの上からふとんを乗せて、病後や手術後の圧迫を防ぐ道具は広く使用されています。
【発明が解決しようとする課題】
【０００２】［課題１］手術後は  自分の体力の回復力で健康を取りもどすことが本命でありその一番大切なことは、寝床内環境を２４時間快適環境で快眠し体力回復することである。その為には温風が四季を通じて寝床内に静かにすみずみまで流れる必要がある。従来の商品は温風が流れず風量不足の課題がありました
［課題２］医療や健康分野といえども人が地球上に永久に生存する為にはＣＯ２の発生は極力おさへるべきであり例外ではない。
人類最大の課題はＣＯ２発生を無くすることであり少なくすることが義務である。
入床中は寝床内が完全に快眠環境になれば室内空調は不要であり室内は２９℃〜２０℃の間は室の空調不要でこの目的を達して地球の環境を守るのが重要で従来の寝具ヤ、掛カバーの商品では不可能であり、これを解決する課題がありました
【課題を解決する手段】
［課題１］図２に示す通風路布（７）の４ａ〜４ｂの上にヤグラ取付布（５）を縫合してヤグラ袋（９）にヤグラ（６）を入れて、足部ドーム（１０）を形成することにより送風通路（８）が完全に確保され風圧、風量が少なくても快眠環境が得られ課題１が解決されるのです。
［課題２］の解決は図２の４ａ〜４ｂの通風布の上面にドーム状棒の筒袋（１５）を設けて、必要な場所にドーム状棒（１６）を押入して寝床内全面に均一に温風が流れる様にすることによ課題２は解決する。
【発明の効果】
【０００３】課題１の効果は  低い風圧でも送風通路（８）が開放されていて寝床内に温風が流れやすく、足部ドーム（１０）の空間の為、足先にふとんの重圧がかゝらず寝返りがしやすく極めて快適である。又送風口（１２）より流れる温風が直せつ足にあたらず、ソフトにあたり足先だけあつく感じることがなく極めて快眠環境で睡眠が出来る効果があります。
課題２の効果は  夏に室温が３０℃になつてもドーム状棒の筒袋（１５）にドーム状棒（１６）を入れると掛ふとんは体より浮いて汗は全く溜らず温風は理想的に流れ夏でも快適環境で快眠出来る。又秋冬でも手術により腹部に圧迫がかゝらず極めて高い省エネ効果が得られる。
【図面の簡単な説明】
【０００４】
【図１】送風路付カバー（１）の正面透視図
【図２】図１のＡ〜Ｂ断面図
【図３】ヤグラ（６）の斜視図
【図４】ドーム状棒（１６）の斜視図
【図５】ヤグラ袋布（５）平面図
【発明を実施する為の形態】
【実施例】
【０００５】掛ふとんに使用する  掛カバーの送風路付カバー（１）の通風布（４ａ）通風布（４ｂ）の上部に図５で示すヤグラ取付布（５）をヤグラ（６）が出し入れ出来る様に縫合し、ヤグラ（６）を使用すると、足部ドーム（１０）が形成され、送風通路（８）に温風が極めて流れやすくなる。又足元がドーム状に浮き温風がソフトにあたり極めて快適で寝返へりもしやすく快眠出来る。
又通風布（４ｃ）〜（４ｂ）の上部にドーム状の筒袋（１５）を体調に応じて任意の位置に取付けて、ドーム状棒（１６）を押入すれば夏の室温３０℃の夜でも体に掛ふとんが接することなく空気が循環し汗は溜らず快眠出来るのです。室温３０℃の時は図２で示す  掛ふとん（２）は使用しない方がより快適である。
上記の様に実施することにより課題１、課題２は全て解決される。
【産業上の利用可能性】
【０００６】産業上の利用は病院で手術後、足部や腹部に掛ふとんの圧迫を受けると患者がいたみを感じる際、これを利用するとその圧迫を感じず温風がよく流れて快眠出来るのです。又退院後、自宅静養にも最適で、老人ホーム等で広く使用されると省エネ、節電、ＣＯ２の削減に大いにこうけん出来ます。
又ホテルの使用も快眠を提供するのに最適です。【０００７】１    送風路付カバー      ２    掛ふとん      ３    暖房機
４ａ  通風布ａ            ４ｂ  通風布ｂ      ４ｃ  通風布ｃ
４ｄ  通風布ｄ            ４ｅ  通風布ｅ      ４ｆ  通風布ｆ
５    ヤグラ取付布        ６    ヤグラ        ７    通風路布
８    送風通路            ９    ヤグラ袋      １０  足部ドーム
１１  敷ふとん            １２  送風口        １３  暖房機の送風口
１４  フアスナー          １５  ドーム状棒の筒袋
１６  ドーム状棒
【図１】
2014008388.tif 000003
【図２】
2014008388.tif 000004
【図３】
2014008388.tif 000005
【図４】
2014008388.tif 000006
【図５】
2014008388.tif 000007
(57)【要約】【課題】  洗濯後にハンガーを、首周りの開口部が小、或いは、小で長い衣類に用いる時に、その開口部から容易に出し入れできて手間を省くハンガーを提供する。【解決手段】  左右の握り柄の下端に設けた関節部に支軸設け、関節部を基点に横方向と下方向に回転が自在である。以上を特徴とする丸首用物干しハンガー。【選択図】図２
2014008385.tif 000002
【特許請求の範囲】
【請求項１】
挟み部を開閉させる左右の握り柄の下端に関節部を設け、該関節部に支軸を設け、関節部を基点に支軸は横方向と下方向に回転が自在である。以上を特徴とする丸首用物干しハンガー。
【発明の詳細な説明】
【技術分野】
【０００１】  本発明は、洗濯後開口部が小の衣類を干す作業を容易にするための丸首用物干しハンガーに関するものである。
【背景技術】
【０００２】  従来，ハンガーの形状は横に長く、該上辺の中央部に、ハンガーを吊り下げるための掛け具、又は、挟み部が突出状に形成している。
洗濯後、開口部が小の丸首からハンガーを出し入れするのは困難で開口の広い裾から出し入れしていた。
【発明の開示】
【発明が解決しようとする課題】
【０００３】    そのため、次のような問題点があった。
通常、ハンガーは横に長く、掛け具、又は、挟み部が突出しているため，首周りが小の開口部からの出し入れは困難で、無理の操作は首周りの形状を損なう。特にハイネックなど開口径が小で上に長い形状からの出し入れは不可能である。無理の出し入れは首周り周辺が変形し着用が不愉快になる。それを防止するために開口が大の裾から出し入れするが、煩わしく手間と時間がかかる。
本発明は以上の問題点を解決しようとするものである。
【問題を解決するための手段】
【０００４】  挟み部を開閉させる左右の握り柄の下端に関節部を設け、該関節部に支軸を設け、関節部を基点に支軸は横方向と下方向に回転が自在である。以上をに特徴とする丸首用物干しハンガーである。
【発明の効果】
【０００５】  本発明は、首周り開口部からの出し入れが困難、又は、不可能の丸首の衣類でも、その開口部から無理なく容易に出し入れできて形状を損なわない。したがって、作業が手早くはかどり煩わしさは無い。
【発明を実施するための最良の形態】
【０００６】    以下，本案の実施の形態を説明する。
（イ）挟み部（１）を開閉する左右の握り柄（２）の下端に関節部（３）を設ける。
（ロ）関節部（３）に支軸（４）を設け、関節部（３）を基点に横方向と下方向間の回転      が自在である。
（ハ）挟み部（１）下部に弾性で爪（５）を有する摘み軸（６）を設ける。
（ニ）支軸（４）の関節部先端に凸部（７）を形成し、爪（５）に掛けて、支軸（４）を      横位置に固定する、爪（５）から外せば下方に回転する。
本発明は、上記の構成よって成っている。
本発明を。小の開口部から出し入れする時、左右の摘み軸（６）を指で引きよせると、横方向に固定していた支軸（４）の先端の凸部（７）が爪（５）から外れ、両支軸（４）は下方に回転し縦に長い形状になるため開口部から挿入し、支軸（４）を手で上に回転させ先端の凸部を爪（５）に掛け支軸（４）を横方向位置に固定する。
開口部が大の衣類に使用するときは、支軸（４）を横位置に固定したまま使用すれば通常の物干しハンガーとして同様に使用できる。
更に  開口部が特小の場合には、両握り柄（２）を引き寄せれば支軸（４）の間隔は接近し、ハンガーの形状が縦に細くなり容易に出し入れできる。したがって、度重ね使用しても丸首周辺の形状を損なわず操作は容易になる、
乾燥後、左右摘み軸（６）を引き寄せ支軸（４）の凸部（７）を爪（５）から外し下方に回転させば、衣類はハンガーから簡単に外れ抜け出る。従って、作業は手早く時間を短縮し煩わしさはない。
【図面の簡単な説明】
【０００７】
【図１】本発明の支軸を横方向に固定した正面図
【図２】本発明の支軸が下方向に回転した正面図
【図３】本発明の支軸関節部の横と縦の拡大断面図
【図４】本発明の使用図
【符号の説明】１．挟み部
２．握り柄
３．関節部
４．支軸
５．爪
６．摘み軸
７．凸部
【図１】
2014008385.tif 000003
【図２】
2014008385.tif 000004
【図３】
2014008385.tif 000005
【図４】
2014008385.tif 000006
(57)【要約】【課題】  デンタルフロスで歯間の清掃をしやすいように指を掛けるリングを設けた輪状デンタルフロスを提供する。【解決手段】  輪状デンタルフロスを（１）の両端に指を入れる２つのリング（２）（３）を設けたリング付き輪状フロスを特徴とする。【選択図】図３
2014008379.tif 000002
【特許請求の範囲】
【請求項１】
輪状デンタルフロス（１）の両端にリング（２）（３）を設けたリング付きデンタルフロス。
【発明の詳細な説明】
【技術分野】
【０００１】この発明は、輪になったデンタルフロスの両端の部分に指を掛けるリングを設けたリング付きデンタルフロスに関するものである。
【背景技術】
【０００２】従来、デンタルフロスとは、フロス自体を指に巻きつけながら使用するものだった。
【発明が解決しようとする課題】
【０００３】これは次のような欠点があった。
（イ）フロスを指に巻いて使用するのは慣れるまで難しい。
特に、高齢者や子供には難しい。
（ロ）指に巻いているデンタルフロスが、清掃途中に解けることがある。
本発明は、以上のような欠点を無くす為に成されたものである。
【課題を解決するための手段】
【０００４】輪状デンタルフロス（１）の両端に指を入れる２つのリング（２）（３）を設ける。
本発明は、以上の構成よりなるリング付き輪状デンタルフロスである。
【発明効果】
【０００５】（イ）２つのリングに指を入れるだけなので、容易に装着出来る。
（ロ）２つのリングに指が入っている為、操作中に指から外れることがない。
（ハ）デンタルフロスを動かしている時に、両方の小指に掛けたリングが輪状フロスを外      側斜め下方に向かい引っ張る為、安定して操作し易い。
（ニ）弾性のあるリングを用いれば、ゴムが戻る力を利用して操作が容易に出来る。
（ホ）指にフロスを巻き直さなくとも、輪状フロスを回してゆけば、未使用のフロス部位      で、清掃することが出来、清潔を保つことが可能である。
【発明を実施するための最良の形態】
【０００６】以下本発明を実施するための最良の形態について説明する。
輪状フロス（１）の両端に，弾性のある２つのリング（２）（３）を設ける。
この２つのリング（２）（３）は、一輪のゴムの様なリングを８の字になる様に捻り、一方の輪に、もう一方の輪を通し、間に出来た真ん中の輪にフロスを通す。
もう一つのリングも、同じ様にフロスを通し、両端のフロスを結んで輪状フロスにして用いる。
使用方法は、両方のリングに、それぞれ両手の中指、小指を入れる。
次に、輪状フロスの中に、中指または中指、薬指の両方を引っかけて、フロスの上部を、両手の親指と人差し指で抓む。
その間のフロスを、歯間部に入れ、通常のデンタルフロスのように動かす。
その際、一つの歯間部の、清掃が済んだら輪状フロスを、回していくと、未使用の清潔な部位で、次の歯間部が清掃することが可能となる。
【図面の簡単な説明】
【０００７】
【図１】本発明の斜視図である。
【図２】本発明の斜視図である。２つのリングに両手の中指と小指を入れた図。
【図３】本発明の斜視図である。２つのリングに両手の中指と小指を入れ、輪状フロスの中に中指と薬指を掛け、フロスの上部を人差し指と親指で抓んだ図。
【符号の説明】
【０００８】１  輪状デンタルフロス
２  中指を入れるリング
３  小指を入れるリング
【図１】
2014008379.tif 000003
【図２】
2014008379.tif 000004
【図３】
2014008379.tif 000005